(57)【要約】    【課題】狭い隙間であっても、吸込パイプから取り外すことなく良好に清掃できるように改良された電気掃除機用吸込具が望まれていた。    【解決手段】吸込具７０は、ハウジング２０に対してベンドベース２２を回動させ、かつハウジング２０の向きを変えることによって、主吸込口が被清掃面１００に対向した状態でハウジング２０を奥行方向に前後に移動させ得る基本姿勢と、副吸込口が被清掃面１００に対向した状態でハウジング２０を幅方向に前後に移動させ得る起立姿勢とに、ハウジング２０の姿勢を切り換えることができる。ベンドベース２２に対して揺動自在に設けられたベンド２１の支点３１は、ベンドベース２２の回動中心に対して偏った位置に設けられている。【選択図】            図２１
2008012361.tif 000002
【特許請求の範囲】
【請求項１】
底面、上面、前面および後面を備え、所定の幅、厚みおよび奥行をしたハウジングと、
ハウジングの底面に形成され、ハウジングの幅方向に長手の主吸込口と、
ハウジングの前面に形成され、主吸込口とつながった副吸込口と、
ハウジング後面の幅方向中央に配置され、奥行方向に延びる軸を中心に回動可能に設けられているベンドベースと、
ベンドベースに対して支点を中心に揺動可能に取り付けられたベンドとを備え、
ハウジングに対してベンドベースを回動させ、かつハウジングの向きを変えることによって、主吸込口が被清掃面に対向した状態でハウジングを奥行方向に前後へ移動させ得る基本姿勢と、副吸込口が被清掃面に対向した状態でハウジングを幅方向に前後へ移動させ得る起立姿勢とに、ハウジングの姿勢を切り換えることができる電気掃除機用吸込具であって、
前記支点には、ハウジングが基本姿勢のとき、ベンドベースからベンドが後方に延びるように、ベンドを下方向きに付勢する弾性付勢部材が備えられていることを特徴とする、電気掃除機用吸込具。
【請求項２】
前記支点は、ベンドベースの回動中心に対して偏った位置に設けられていることを特徴とする、請求項１記載の電気掃除機用吸込具。
【請求項３】
ハウジングの底面には、主吸込口の後方であって、かつ、ベンドベースの支点よりも前方寄りに車輪が備えられていることを特徴とする、請求項１または２記載の電気掃除機用吸込具。
【請求項４】
ハウジングには、副吸込口を開閉可能なシャッターが備えられており、
シャッターは、ハウジングが基本姿勢では副吸込口を閉じており、ハウジングが起立姿勢になると副吸込口を開く構成であり、
シャッターには、ハウジングを基本姿勢から起立姿勢に切り換えるときに、ハウジングの姿勢の切り換えを補助し、ハウジングが起立姿勢においては、ハウジングの移動を補佐する軟質部を有する小ローラーが備えられていることを特徴とする、請求項１〜３のいずれかに記載の電気掃除機用吸込具。
【請求項５】
ベンドベースの下側周面には、起毛布が設けられ、
ベンドベースには、起毛布の周面方向両端を挟む挟持部材が備えられていることを特徴とする、請求項１〜４のいずれかに記載の電気掃除機用吸込具。
【請求項６】
ベンドベースがハウジングに対して所定の角度位置に回動してハウジングが起立姿勢になったとき、ベンドベースをその角度位置でハウジングに対して停止させる規制手段が設けられており、
当該規制手段は、規制にかかわらず、さらにベンドベースを回動させようとする無理な回動力がベンドベースに加わったとき、規制が外れたことを感知させる手段を有することを特徴とする、請求項１〜５のいずれかに記載の電気掃除機用吸込具。
【請求項７】
ハウジング内には、幅方向に延びる回転軸を中心に回転するブラシが、前記主吸込口に臨むように設けられており、
ブラシの軸方向両端には、通風用のくびれ部が形成されていることを特徴とする、請求項１〜６のいずれかに記載の電気掃除機用吸込具。
【発明の詳細な説明】
【技術分野】
【０００１】
この発明は、電気掃除機本体に接続され、被清掃面上の塵挨を吸い込んで、電気掃除機本体側へ送るための吸込具に関する。
【背景技術】
【０００２】
電気掃除機は、一般に、電動送風機を備えた本体と、本体に後端が取り付けられ、その先端には操作部が備えられた吸込ホースと、吸込ホースの操作部に後端が接続され、その先端側には吸込具が接続される吸込パイプとを有している。ユーザは、操作部に設けられたクリップを握り、吸込具を被清掃面に沿って前後に移動させることにより、清掃を行う。
【０００３】
従来の吸込具は、前後に移動される際に効率良く被清掃面の塵挨を吸い込めるよう、吸込パイプにいわゆるＴ字状に接続される形状をしている。すなわち、吸込具は、所定の幅、厚みおよび奥行を有するハウジングを有していて、ハウジングの幅方向は厚みおよび奥行に比べて長くされている。そしてハウジングの幅方向中央に接続用のベンド（接続筒）が設けられ、ベンドが吸込パイプの先端に連結される。
【０００４】
ユーザは、操作部に備えられたクリップを握り、吸込パイプの先端に連結された吸込具を、ハウジングの幅方向が吸込パイプの長さ方向に対してほぼ直交方向になる状態にし、吸込具を前後させて清掃を行う。これにより、被清掃面をハウジングの幅単位で効率良く清掃することが可能である。
【０００５】
ところで、被清掃面は、面積の広い床面中央部だけではなく、床面隅の壁との境界部、ベッドの下、壁と家具との隙間等もあり、かかる被清掃面に対しても、吸込具によって良好に塵挨が捕獲できなければならない。
【０００６】
そこで従来、吸込具は、ベンドに対して回動可能になっており、吸込パイプの先端で、吸込具がその角度や方向を変えられるようにされている。
【０００７】
このような構成の一例は、特許文献１の第１９図などに示されている。
【特許文献１】特開平１０−２６２８７８号公報
【発明の開示】
【発明が解決しようとする課題】
【０００８】
特許文献１に開示されている構成では、吸込パイプの先端に取り付けられた吸込具は、ハウジングの幅方向を吸込パイプの長さ方向と平行な方向になるように、吸込具を回動させることができる。これにより、吸込具はハウジングの奥行方向以上の隙間があれば、その隙間に挿入することができ、清掃を行えるというものである。
【０００９】
しかしながら、特許文献１に提案されている構成では、吸込具のハウジングの奥行方向長さよりも狭い幅しかない隙間には、吸込具を挿入することはできず、清掃を行うことができない。ところが、家具と壁との隙間や、家具と家具との隙間は、吸込パイプがようやく入る程度の狭い幅しかないことが多い。そのため、従来は、吸込具を吸込パイプから外して、吸込パイプの先端等を用いて隙間清掃を行っている場合があった。
【００１０】
そこでこの発明は、上述のような狭い隙間であっても、良好に清掃できるように改良された電気掃除機用吸込具を提供することを主たる目的とする。
【００１１】
またこの発明は、被清掃面が広い場合であっても、狭い場合であっても、それに適した状態に姿勢が切り換わる電気掃除機用吸込具を提供することを目的とする。
【００１２】
さらにこの発明は、隙間清掃が安定してかつ良好に行える電気掃除機用吸込具を提供することを目的とする。
【００１３】
さらにまたこの発明は、電気掃除機用吸込具を、通常姿勢（基本姿勢）と起立姿勢とに容易にかつ確実に切り換えることのできる電気掃除機用吸込具を提供することを目的とする。
【課題を解決するための手段】
【００１４】
請求項１記載の発明は、底面、上面、前面および後面を備え、所定の幅、厚みおよび奥行をしたハウジングと、  ハウジングの底面に形成され、ハウジングの幅方向に長手の主吸込口と、ハウジングの前面に形成され、主吸込口とつながった副吸込口と、ハウジング後面の幅方向中央に配置され、奥行方向に延びる軸を中心に回動可能に設けられているベンドベースと、ベンドベースに対して支点を中心に揺動可能に取り付けられたベンドとを備え、ハウジングに対してベンドベースを回動させ、かつハウジングの向きを変えることによって、主吸込口が被清掃面に対向した状態でハウジングを奥行方向に前後へ移動させ得る基本姿勢と、副吸込口が被清掃面に対向した状態でハウジングを幅方向に前後へ移動させ得る起立姿勢とに、ハウジングの姿勢を切り換えることができる電気掃除機用吸込具であって、前記支点には、ハウジングが基本姿勢のとき、ベンドベースからベンドが後方に延びるように、ベンドを下方向きに付勢する弾性付勢部材が備えられていることを特徴とする、電気掃除機用吸込具である。
【００１５】
請求項２記載の発明は、前記支点は、ベンドベースの回動中心に対して偏った位置に設けられていることを特徴とする、請求項１記載の電気掃除機用吸込具である。
【００１６】
請求項３記載の発明は、ハウジングの底面には、主吸込口の後方であって、かつ、ベンドベースの支点よりも前方寄りに車輪が備えられていることを特徴とする、請求項１または２記載の電気掃除機用吸込具である。
【００１７】
請求項４記載の発明は、ハウジングには、副吸込口を開閉可能なシャッターが備えられており、シャッターは、ハウジングが基本姿勢では副吸込口を閉じており、ハウジングが起立姿勢になると副吸込口を開く構成であり、シャッターには、ハウジングを基本姿勢から起立姿勢に切り換えるときに、ハウジングの姿勢の切り換えを補助し、ハウジングが起立姿勢においては、ハウジングの移動を補佐する軟質部を有する小ローラーが備えられていることを特徴とする、請求項１〜３のいずれかに記載の電気掃除機用吸込具である。
【００１８】
請求項５記載の発明は、ベンドベースの下側周面には、起毛布が設けられ、ベンドベースには、起毛布の周面方向両端を挟む挟持部材が備えられていることを特徴とする、請求項１〜４のいずれかに記載の電気掃除機用吸込具である。
【００１９】
請求項６記載の発明は、ベンドベースがハウジングに対して所定の角度位置に回動してハウジングが起立姿勢になったとき、ベンドベースをその角度位置でハウジングに対して停止させる規制手段が設けられており、当該規制手段は、規制にかかわらず、さらにベンドベースを回動させようとする無理な回動力がベンドベースに加わったとき、規制が外れたことを感知させる手段を有することを特徴とする、請求項１〜５のいずれかに記載の電気掃除機用吸込具である。
【００２０】
請求項７記載の発明は、ハウジング内には、幅方向に延びる回転軸を中心に回転するブラシが、前記主吸込口に臨むように設けられており、ブラシの軸方向両端には、通風用のくびれ部が形成されていることを特徴とする、請求項１〜６のいずれかに記載の電気掃除機用吸込具である。
【発明の効果】
【００２１】
請求項１記載の発明によれば、ベンドベースに対してベンドを一定の向きに弾力付勢する弾性付勢部材が設けられていることによって、ベンドに接続された吸込パイプ等を操作し、ベンドを介してベンドベースをハウジングに対して回動させようとする際に、ベンドがベンドベースから不所望の方向へ揺動することを防止できる。よって、ベンドを介してベンドベースをハウジングに対して回動させ易いという作用効果を奏する。また、ベンドベースがハウジングに対して回動せずに、ハウジングが起立姿勢になってしまい、起立姿勢のハウジングとベンドベースとの向きが所望の向きにならないといった事態を防止することができる。
【００２２】
このように、ベンドベースに対して支点を中心に揺動可能に取り付けられたベンドを、常時、ベンドベースに対して一定方向に弾力付勢されるようにすることによって、ハウジングを基本姿勢と起立姿勢とに切り換える操作が確実に行える電気掃除機用吸込具とすることができる。
【００２３】
請求項１記載の発明において、請求項２記載のように、支点の位置を、ベンドベースの回動中心に対して偏った位置にずらせる構成としてもよい。かかる構成にすれば、ハウジングを起立姿勢にしたとき、ベンドを介してハウジングを操作しようとする際、その操作性の向上が図れる。
【００２４】
請求項３記載の発明では、ハウジングの底面の後方寄りに、ハウジングが基本姿勢のときに被清掃面上を前後移動させ易いように車輪が備えられているが、ハウジングが基本姿勢のときに、この車輪を中心にハウジングの前方側が浮き上がるといった事態を防止できる。すなわち、ベンドベースの支点には、弾性付勢部材が備えられているから、ベンドには、常時、ベンドを下方に付勢する弾性付勢力が与えられている。この弾性付勢力に抗してベンドを斜め上方へ持ち上げてハウジングが操作される。従ってハウジングには、前方側が押えられる力が加わり、車輪を中心に被清掃面から浮き上がることはない。
【００２５】
請求項４記載の発明では、ハウジングの副吸込口にはシャッターが備えられており、シャッターには軟質部を有する小ローラーが備えられている。小ローラーの軟質部は、ハウジングを基本姿勢から起立姿勢に切り換える際に、被清掃面等に当接し、ハウジングの姿勢切り換えを補助する。また、ハウジングが起立姿勢では、ハウジングが幅方向に前後移動するのを補佐する。被清掃面等に当接するのは、小ローラーの軟質部であり、当該軟質部が家具の裾やフローリング面等にぶつかっても、家具やフローリング面が傷付いたりすることはない。
【００２６】
請求項５記載の発明では、ベンドベースの下方側には、起毛布が設けられているから、ベンドベースが被清掃面等に当接したりぶつかったりしても、被清掃面が傷付くことはない。また、起毛布は、その両端が挟持部材で挟まれており、長期間の使用によっても、起毛布がベンドベースの周面からめくれ上がることを防止できる。
【００２７】
請求項６記載の発明では、ハウジングを起立姿勢にして、ベンドを介してハウジングを操作しているときにおいて、ベンドに接続された吸込パイプ等を過剰にひねり、ベンドベースがハウジングに対して所定回動角度以上に回動しようとした場合に、規制手段が働いて、ベンドベースとハウジングとの回動角度が規制される。その際、さらにベンドベースが回動されようとすると、その規制が外れたことを使用者に感知させられる。具体的には、ハウジングに対してベンドベースが所定の角度（たとえば９０°）回動したとき、クリック感を伴う係合構造によって、ベンドベースの回動が規制される。そして、ベンドベースに対して、さらに回動方向に力が加わると、クリック感を伴う係合規制が外れたことを、使用者に対して音または感触で感知させる構成を有している。クリック感を伴う係止機構が外れたことを使用者が感知すると、それ以上ベンドベースを回動させると、壊れることを使用者に予測させられる。
【００２８】
請求項７記載の発明では、ハウジング内には、主吸込口に臨むようにブラシが設けられているが、ブラシの軸方向両端には、通風用のくびれ部が形成されている。このため、主吸込口から吸い込まれる空気のうち、ブラシの軸方向両端を通る空気は、くびれ部を通って勢いよくハウジング内に入り、ベンドベースおよびベンドを通って電気掃除機本体側へと吸い込まれる。主吸込口の幅方向両端の通風量が速いと、全体として仕事能力が向上する。請求項１０の発明では、主吸込口両端の通風量が、ブラシの軸方向両端に形成されたくびれ部によって、通風量が多くなるようにされているから、集塵効率の良い電気掃除機用吸込具とすることができる。
【発明を実施するための最良の形態】
【００２９】
以下には、図面を参照して、この発明の具体的な実施形態について説明をする。
【００３０】
図１は、この発明の一実施形態に係る吸込具１０を有する電気掃除機１の右側面図である。  以下、説明の便宜上、図１において左側を前方、右側を後方、手前側を左、奥側を右として説明し、電気掃除機１の各構成部材について説明する際も、その方向に従って、前後、左右および上下を区別しながら説明する。
【００３１】
電気掃除機１には、電気掃除機本体２、吸込ホース３、操作部４、吸込パイプ５および吸込具１０が含まれている。電気掃除機本体２には電動送風機（図示せず）が内蔵されていて、この電動送風機により吸引力が発生する。
【００３２】
電気掃除機本体２の正面側には吸込ホース３の後端側に備えられた接続部６が着脱可能に連結されている。吸込ホース３は、可撓性を有し、任意の形態に曲げることができる。吸込ホース３の反対側（先端側）には操作部４が取り付けられている。操作部４は、吸込ホース３の軸方向に延びるパイプ部７と、パイプ部７から軸方向と交差方向後方へ延び出したグリップ８と、パイプ部７の中心軸に対して、グリップ８と反対側（１８０°隔たる側）に設けられたサブグリップ９とを具備している。また、吸込ホース３の先端側と操作部４との間には回動機構１１が介在されていて、操作部４と吸込ホース３とは、互いに軸回りに回動自在に連結されている。
【００３３】
吸込パイプ５は、操作部４と吸込具１０との間を連結する長手の、たとえば樹脂製のパイプである。吸込パイプ５は、その長さ方向ほぼ中央部を境に、先端側（吸込具１０が取り付けられた側）１２が、後端側（操作部４が接続された側）１３内に同軸状に収納され、長さが可変できるように構成されている。この長さの可変は、吸込パイプ５の中央部に備えられたロックボタン１４を操作することにより行うことができる。
【００３４】
この発明の一実施形態に係る吸込具１０には、ハウジング２０と、接続用の筒であるベンド２１と、ベンド２１をハウジング２０に対して取り付けているベンドベース２２とが含まれている。
【００３５】
なお、吸込パイプ５の後端側１３は、操作部４から取り外し可能であり、操作部４を吸込具１０のベンド２１と直接連結することも可能である。
【００３６】
電気掃除機１では、図２および図３に示すように、吸込パイプ５をその軸回りにひねることにより、吸込具１０の姿勢を切り換えることができる。
【００３７】
より具体的には、吸込具１０は、通常、図１に示す基本姿勢をとっており、この基本姿勢では、後述する主吸込口が被清掃面１００に対向した状態になっている。この状態から、吸込パイプ５を軸回りに約９０°ひねると、図２に示すように、吸込具１０は被清掃面１００（図２では被清掃面１００を理解の便宜のためにフローリング面として示し、紙面方向に広がっている状態で表わしている。）に対し、基本姿勢のままであるが、９０°回転した状態となる。そしてさらに吸込パイプ５を軸方向にひねり、操作し易い斜め後方へ立ち上がった状態にすると、図３に示すように、吸込具１０が起立姿勢に切り換わる。
【００３８】
吸込具１０が起立姿勢とは、後述するように、吸込具１０のハウジング２０に形成されている副吸込口が被清掃面１００に対向した状態を言い、ハウジング２０の厚み方向が水平になるように立ち上がり、ハウジング２０の幅方向に吸込パイプ５が斜め上方へ延び出している状態を言う。
【００３９】
この状態では、吸込パイプ５に連結された操作部４では、サブグリップ９が上方に位置し、グリップ８は下方に位置する。従って、サブグリップ９を握って吸込具１０を操作することになる。
【００４０】
このように、吸込具１０は、その姿勢を、基本姿勢と起立姿勢とに切り換えることができる点が、この実施形態に係る吸込具１０の特徴の１つである。
【００４１】
図４は、吸込具１０が基本姿勢のときの平面図である。図５は、吸込具１０が基本姿勢のときの右側面図である。
【００４２】
図４および図５を参照して、吸込具１０は、ハウジング２０、ベンドベース２２およびベンド２１を含む。ハウジング２０は、底面２３、上面２４、前面２５および後面２６を備えていて、幅Ｗ、厚みＴ、奥行Ｄの寸法をしている。ここに、幅Ｗ＞奥行Ｄ＞厚みＴの寸法関係になっている。
【００４３】
ハウジング２０の底面２３には、その前方寄りに、ハウジング２０の幅方向に長手の主吸込口２７が形成されている。ハウジング２０が基本姿勢では、主吸込口２７は被清掃面に対向しており、塵挨は主吸込口２７からハウジング２０内に吸い込まれる。
【００４４】
ハウジング２０には、その前面２５に、開閉可能なシャッター２８が備えられている。シャッター２８はハウジング２０の幅方向に延びている。シャッター２８には、その左右両側に、斜め上方へ突出する回動自在な小ローラー２９が設けられている。小ローラー２９には、少なくともその転動周面に軟質部３０が設けられている。小ローラー２９は、吸込具１０が起立姿勢になったとき、吸込具１０が移動する際の移動補助部材として機能する。また、小ローラー２９は、吸込具１０を基本姿勢から起立姿勢に切り換える際に、被清掃面に当接してハウジング２０が被清掃面上で滑らないようにする姿勢切り換え時のグリップ機能も奏する。具体的には、小ローラー２９に、軟質部３０を設けたことにより、軟質部３０が吸込具１０の姿勢切り換え時に被清掃面に当接し、グリップ機能を奏する。また、起立姿勢において、小ローラー２９が転動する際に、軟質部３０が被清掃面と接触する。
【００４５】
小ローラー２９の詳細な構成例および変形例を、図６に示す。
【００４６】
図６Ａは、小ローラー２９の縦断面図である。小ローラー２９は、支軸３１と、支軸３１に取り付けられた略きのこ形状のコロ部３２と、コロ部３２の転動周面にインサート成形で配置された軟質部３０とを含んでいる。軟質部３０は、たとえばエストラマーで構成されている。
【００４７】
図６Ｂは、小ローラー２９の他の実施形態を示す縦断面図である。図６Ｂの小ローラー２９は、コロ部３２全体が、軟質材で構成された実施形態である。
【００４８】
図６Ｃは、小ローラー２９のさらに他の実施形態を示す縦断面図である。図６Ｃに示す小ローラー２９は、コロ部３２の転動面に軟質材でできたＯリング３３が取り付けられた例である。
【００４９】
以上説明したように、小ローラー２９は、その転動面（被清掃面と当接して転がる円周面）に、軟質材が配置された構成が採用されている。
【００５０】
図４および図５を再び参照して、シャッター２８には、ハウジング２０の幅方向に延びる衝撃吸収バー３４が備えられている。衝撃吸収バー３４は弾性体で形成されており、吸込具１０の前面２５が壁などにぶつかるとき、この吸収バー３４が最初に壁にぶつかり、ぶつかった時の衝撃を緩和する。衝撃吸収バー３４は、また、吸込具１０が壁や家具にぶつかった際に、壁や家具を傷付けることのない傷付け防止部材としても機能する。なお、衝撃吸収バー３４は、シャッター２８と一体に形成された膨出部であって、その外表面に起毛布が貼着された構成としてもよい。
【００５１】
衝撃吸収バー３４以外にも、傷付け防止部材が、吸込具１０には必要に応じて配置されている。具体的には、ハウジング２０の上面２４には、平面視円弧状の傷付け防止起毛布３５が貼着され、ハウジング２０の左右両側面３６，３７には、それぞれ、傷付け防止用の弾性シート３８が設けられている。
【００５２】
ハウジング２０の後面２６には、ベンドベース２２が突設されている。ベンドベース２２は、ハウジング２０の幅方向中央に配置されている。ベンドベース２２の左右両側には、ハウジング２０の後面２６から後方へ突出する一対の凸部３９が備えられており、各凸部３９には車輪４０が回転自在に保持されている。車輪４０は、吸込具１０が基本姿勢において、奥行方向に前後へ移動される際に、その移動をスムーズに行わせる。
【００５３】
ベンドベース２２はハウジング２０に対して奥行方向に延びる軸を中心に回動可能である。
【００５４】
また、ベンドベース２２には、ベンド２１が揺動可能に取り付けられている。ベンド２１は、図４および図５には現れていないが、ベンドベース２２に備えられた支点を中心に上下方向（ハウジング２０の厚み方向）に揺動し得る。この支点は、ハウジング２０が基本姿勢のとき、ベンドベース２２の回動中心よりも上方に偏った位置に設けられているのが望ましい。ベンド２１には、その突出方向後端側に、前述したように、吸込パイプ５等が接続され得る。
【００５５】
さらに、ベンドベース２２には、下側周面に、半円弧状に延びる起毛布帯４１が設けられている。この実施形態では、起毛布帯４１の取り付けに関し、工夫が施されている。この工夫につき、次に説明する。
【００５６】
図７は、図５におけるＶＩＩ−ＶＩＩに沿って切断したベンドベース２２の切断面端面図である。図７Ａには、ベンド２１の切断面は示されていない。また、図７Ｂは、ベンドベース２２のみの切断面端面図であり、起毛布帯４１が取り外された状態の切断面端面である。
【００５７】
図７Ａおよび図７Ｂを参照して、ベンドベース２２には、下部材４２および上部材４３が含まれていて、下部材４２の下側周面には起毛布帯４１のための配置凹部４４が形成されている。起毛布帯４１はこの凹部４４に嵌め込むように配置されている。起毛布帯４１の周方向両端４１ａ，４１ｂは、下部材４２の内方に巻き込まれている。上部材４３は、起毛布帯４１の両端部４１ａ，４１ｂを上から押さえ込んで、下部材４２との間で起毛布帯４１の端部４１ａ，４１ｂを挟むように構成されている。このように、ベンドベース２２の下部材４２および上部材４３によって、起毛布帯４１の周方向両端を挟む挟持部が構成されている。よって、起毛布帯４１は、凹部４４に嵌め込まれ、かつ、その両端が下部材４２および上部材４３によって挟み込まれているので、ベンドベース２２の周面から外れたり、めくれることがない。
【００５８】
なお、図７Ａの構成に代えて、図７Ｃに示すように、上部材４３と下部材４２との当接面に、起毛布帯４１の両端部４１ａ，４１ｂを圧接するリブ４５を設け、より確実に起毛布帯４１の両端部４１ａ，４１ｂの抜け止め防止が図られた構成としてもよい。
【００５９】
吸込具１０が基本姿勢のときには、車輪４０によって奥行方向に前後にスムーズに移動されるとともに、ベンドベース２２に設けられた起毛布帯４１も、被清掃面に接し、ハウジング２０のスムーズな移動を助ける。
【００６０】
吸込具１０は、ハウジング２０に対してベンドベース２２を９０°回動させ、その状態でハウジング２０の前面２５を被清掃面に対向させることにより、図８および図９に示すように、被清掃面１００に対して、ハウジング２０の奥行方向が上下を向いて立ち上がった起立姿勢となる。ここに、図８は、吸込具１０を起立姿勢にしたときの右側面図であり、図９は、吸込具１０を起立姿勢にしたときの背面図である。また、図１０は、起立姿勢の吸込具１０の底面図である。
【００６１】
図８〜１０を参照して説明すると、吸込具１０を起立姿勢にすると、シャッター２８は被清掃面１００により押し上げられて開く。シャッター２８は、吸込具１０が基本姿勢の場合は、図示しないばねの付勢力によって下方に下がっておりハウジング２０の前面２５を閉じた状態としている。ところが、吸込具１０が起立姿勢に切り換えられる際、シャッター２８は被清掃面１００により押し上げられて、ハウジング２０の前面２５は開かれた状態となる。これにより、ハウジング２０の前面に形成された副吸込口４６が被清掃面１００と対向する。よって吸込具１０は起立姿勢において、被清掃面１００と対向した副吸込口４６から塵挨を吸い込むことができる。副吸込口４６は主吸込口２７とつながっている。
【００６２】
図９を参照して、シャッター２８が開いた起立姿勢では、ハウジング２０の幅方向両端であって、ハウジング２０の前面側（図９において被清掃面１００に対向する側）に、補助吸込口４７が現れる。補助吸込口４７は、吸込具１０が起立姿勢において前後に移動される際に、その移動方向側に開いた吸込口である。よって、吸込具１０が移動する際、その移動方向側には補助吸込口４７があるため、被清掃面１００上に比較的大きな塵挨があっても、その塵挨はこの補助吸込口４７から良好にハウジング２０内へと吸い込まれる。
【００６３】
吸込具１０が起立姿勢では、被清掃面１００には小ローラー２９および起毛布４８が当接する。小ローラー２９は、前述したように、シャッター２８の両端（ハウジング２０の幅方向に見て両端）に取り付けられており、その周面に軟質部３０が備えられている。一方、起毛布４８は、図１０に示すように、シャッター２８が取り付けられていない側の底面両隅に設けられている。従って、底面視において、起立姿勢の吸込具１０は、被清掃面１００に対向する四隅が、２つの小ローラーの軟質部３０および２つの起毛布４８により安定して支えられている。
【００６４】
小ローラー２９および起毛布４８は、起立姿勢の吸込具１０が被清掃面１００を移動する際、その移動をスムーズに行わせるための、移動補助部材としても機能している。これら移動補助部材は、軟質材または起毛布であるから、被清掃面１００を傷付けることはない。
【００６５】
さらに、シャッター２８には、起毛布４９が貼着されていて、起毛布４９により、ハウジング２０の幅方向に見て、副吸込口４６の中央部に塵挨が誘導される。すなわち、起毛布４９は、中央部が湾曲した山を描くガイドエッジ５０を有しており、このガイドエッジ５０によって塵挨が副吸込口４６の中央部に案内される。
【００６６】
図８において、ハウジング２０に対して９０°回動されたベンドベース２２に対し、ベンド２１は揺動自在に保持されており、揺動方向は、図８において矢印５１で示す左上がりの斜め左右方向である。よって、ベンド２１に接続された吸込パイプ５（図３参照）の角度および位置を操作し易い角度および位置にして、起立姿勢の吸込具１０を操作することができる。
【００６７】
またその場合において、図９に示すように、起立姿勢のハウジング２０に対して、ベンド２１はハウジング２０の厚み方向中心線上に軸線が位置している。よって、起立姿勢のハウジング２０はベンド２１を介して、安定した、扱い易いバランス状態に保たれている。さらに、図８において、ベンドベース２２に備えられているベンド２１の揺動支点５２は、ベンドベース２２の回動中心から右寄りに偏っている。それゆえ、ベンド２１を介してハウジング２０を前後に移動する際、ハウジング２０の前方（図８における左側）が被清掃面１００から浮き上がることを防止できる。
【００６８】
図１１Ａは、吸込具１０が基本姿勢のときの平面図で、切断位置Ｂ−ＢおよびＣ−Ｃを示している。図１１Ｂは、図１１ＡのＢ−Ｂに沿う切断面部分断面図であり、図１１Ｃは、図１１ＡのＣ−Ｃに沿う切断面断面図である。
【００６９】
図１１Ｂに示すように、ベンドベース２２の先端はハウジング２０内に進入しており、下部材４２と上部材４３との接合部に凸部５３が形成されている。一方、ハウジング２０内には回動角度規制突起５４が設けられている。
【００７０】
また、図１１Ｃに示すように、ハウジング２０内に進入しているベンドベース２２の先端にはフランジ５５が備えられている。フランジ５５は、その内周面５６が吸込口を形成しており、その外周は、円弧状周面５７、中心に対して１８０°隔たる位置に切欠かれた２つのロック用凹欠部５８およびロック用凹欠部５８と中心に対して９０°隔たる位置に形成された２つの位置決め用直線部５９を含んでいる。一方、ハウジング２０内には、フランジ５５に隣接して、ロック片６０が配置されている。ロック片６０はコイルばね６１によって常時フランジ５５の外周に向かって弾性付勢されている。
【００７１】
図１１Ａに示す吸込具１０が基本姿勢では、ロック片６０はフランジ５５の位置決め用直線部５９の一方に当接している。それゆえ、基本姿勢におけるベンドベース２２の回動位置が位置決めされている。その状態からベンドベース２２をハウジング２０に対して回動させることは容易に行える。
【００７２】
図１２Ａは、吸込具１０が起立姿勢のときの右側面図であり、切断位置Ｂ−ＢおよびＣ−Ｃを示している。図１２Ｂは、図１２ＡのＢ−Ｂに沿う切断面部分断面図であり、図１２Ｃは、図１２ＡのＣ−Ｃに沿う切断面断面図である。
【００７３】
図１２Ａに示すように、ベンドベース２２をハウジング２０に対して９０°回動させて吸込具１０を起立姿勢にしたときには、ハウジング２０内のベンドベース２２は、図１２ＢおよびＣに示す状態となる。
【００７４】
すなわち、図１２Ｂに示すように、ハウジング２０内に入り込んだベンドベース２２がハウジング２０に対して９０°回動した状態では、ベンドベース２２の凸部５３はハウジング２０の回動角度規制突起５４とぶつからない。凸部５３と回動角度規制突起５４との間には遊びの隙間６２が存在する。
【００７５】
また、フランジ５５とロック片６０との関係は、図１２Ｃに示すようになる。すなわち、ロック用凹欠部５８にロック片６０が嵌まる。この状態では、ハウジング２０とベンドベース２２とをかなり強い力でひねらなければ、両者の角度位置を変えることができなくなる。よって、吸込具１０は、起立姿勢において、ハウジング２０とベンドベース２２とが一定の角度にロックされている。起立姿勢では、ベンドベース２２はハウジング２０に対して安易に回動せず、ハウジング２０とベンドベース２２との角度位置が固定された状態のまま、ベンド２１が斜め上下に揺動可能であり、隙間清掃が行い易い。
【００７６】
図１３Ａ，Ｂは、それぞれ、図１２Ｂ，Ｃの状態（ベンドベース２２が９０°回動された状態）からさらにベンドベース２２が１０°ひねられて最初の状態から１００°回動した状態を示している。
【００７７】
図１３Ｂに示すように、ハウジング２０に対してベンドベース２２が１００°回動すると、ロック用凹欠部５８とロック片６０との係合が外れる。一方、図１３Ａに示すように、ベンドベース２２の凸部５３が回動角度規制突起５４にぶつかる。そしてベンドベース２２は、それ以上回動し得ない状態となる。
【００７８】
この状態は、たとえば図１４に示すように、家具と家具との隙間に吸込具１０が挿入され、ハウジング２０の回動が規制された状態で、ベンド２１がひねられ、ベンドベース２２に無理な回動力が加わった状態である。かかる状態において、さらにベンド２１がひねられると、ベンドベース２２とハウジング２０との結合関係が破壊に至る。
【００７９】
そこでこの実施形態では、図１２Ｂ，Ｃの状態から図１３Ｂ，Ｃに示す状態になったとき、すなわちロック用凹欠部５８とロック片６０との係合が外れたとき、それがベンド２１および吸込パイプ等を介して使用者に感知され得るようにしている。つまり、隙間清掃時に無理な力が加わった場合には、ロック用凹欠部５８とロック片６０とのクリック感を伴う係合が解除されることで、それが使用者に感知される。そして無理にベンドベース２２がひねられても、凸部５３と回動角度規制突起５４とが衝突してそれ以上はベンドベース２２が回動し得ないようにし、ハウジング２０に対するベンドベース２２の取付構造が破壊に至らないように工夫されている。
【００８０】
ところで、この実施形態に係る吸込具１０を、図１に示す基本姿勢から図２に示す中間姿勢を経て図３に示す起立姿勢に切り換える際には、ハウジング２０に備えられている起毛布４９やシャッター２８に取り付けられている小ローラー２９の軟質部３０等が、被清掃面上でハウジング２０が回動しようとするのを阻止する摩擦抵抗発生部として機能する。ところが、場合によっては、この摩擦抵抗が十分でなく、電気掃除機１は、図２に示す状態から図３に示す状態にはならず、図１５に示すように、ベンドベース２２が回動せずにハウジング２０が起立した状態になってしまうことがある。もちろん、こうなったときには、使用者は、ベンドベース２２に対してハウジング２０を９０°ひねるように、手で操作すればよいわけであるが、操作性が悪い。
【００８１】
よって、吸込具１０を基本姿勢から起立姿勢へ切り換える際の失敗を確実になくする構成が望ましい。
【００８２】
そこで、ベンドベース２２に対して揺動可能に設けられたベンド２１の揺動支軸に、ばね等の弾性付勢部材を設ける構成とするのが好ましい。
【００８３】
以下、具体的に説明する。
【００８４】
図１６は、吸込具１０が基本姿勢のときの平面図であり、ベンド２１の上蓋部が取り除かれ、かつ、ベンドベース２２は上部材４３が取り外されて下部材４２だけにされた状態の図であり、破線で示すＡ部分は、要部拡大図である。図１７は、吸込具１０が基本姿勢のときの右側面図であり、支軸３１部分が透かして示された図である。
【００８５】
図１６および図１７を参照して、ベンド２１は支軸３１を中心に揺動可能であるが、支軸３１には、ばね６３が係合されている。ばね６３は、いわゆる弦巻ばねであり、支軸３１を中心にベンド２１に常時下向きの力（図１６において紙面奥行側に働く力であり、図１７において時計回りの力）が付与されている。この実施形態では、図１６に示すように、ばね６３は、支軸３１の右側だけに備えられた簡易な構造が採用されている。
【００８６】
支軸３１にばね６３を設けると、図１８に示すように、ハウジング２０の前面２５側が被清掃面１００から浮き上がる事態をなくすることができる。特に、この実施形態に係る吸込具１０は、車輪４０が支点３０よりも前方にある。このような場合に、ベンド２１を介してベンドベース２２を下方に押し下げると、車輪４０を中心にハウジング２０の前面２５側が被清掃面１００から浮き上がる可能性がある。
【００８７】
ところが、支点３１に前述のようにばね６３が設けられており、図１８において、支点３１を中心に、ベンド２１に右回りの弾性付勢力が働いていると、ベンド２１から見ると、ハウジング２０にはその前面２５側が被清掃面１００に向かって押し付けられる方向に弾性付勢されていることになる。
【００８８】
従って、ばね６３を設けると、ハウジング２０の前面側が被清掃面１００から浮き上がらず（図１８の状態にならない）、吸込具１０が基本姿勢において、主吸込口２７が被清掃面１００から離れず、吸引性能が低下するおそれがなくなる。また、吸引性能の向上に加えて、ベンド２１を操作してベンドベース２２をハウジング２０に対して回動させる際に、ハウジング２０の前面側が常に被清掃面１００に押し付けられているから、ハウジング２０の起毛布４８や小ローラー２９の軟質部３０は、ハウジング２０が起立姿勢に切り換わる際に確実に被清掃面１００と接し、摩擦抵抗を生じさせる。このように、ばね６３を設けたことにより、吸込具１０の姿勢を切り換える際に、図１５で示したような姿勢切り換えの失敗がなくなる。
【００８９】
さらに、図２０に示すように、ベンドベース２２を９０°回動させ、ハウジング２０は起立姿勢にすることなく清掃を行う場合、たとえばベッドの下等の、被清掃面の上の空間高さが低い領域を清掃する場合において、ばね６３によりベンド２１はベンドベース２２に対して真っ直ぐになる方向に弾性付勢されている。つまり、ベンドベース２２を９０°ひねった状態で、ハウジング２０とベンド２１とがＴ字に近い状態になるように弾性付勢されている。従ってベッドの下等の被清掃面を清掃する際の使い勝手が向上する。
【００９０】
図２１は、この発明の他の実施形態に係る吸込具７０で、起立姿勢の吸込具７０の右側面図である。図２１では、ベンド２１の一部は省略されている。
【００９１】
図２１に示す吸込具７０の構成要素のうち、先に説明した吸込具１０と同一または対応する部分には同一番号が付されている。図２２は、吸込具７０が基本姿勢のときの右側面から見た中央縦断面図である。
【００９２】
図２１および２２を参照して、吸込具７０の特徴は、ベンドベース２２がハウジング２０に対して軸７１を中心に回動可能にされているが、ベンドベース２２に連結されたベンド２１の揺動支点が、図２２において、軸２１よりも上方に設けられていることである。すなわち、ベンド２１が揺動するときの支軸３１が、ベンドベース２２の回動中心軸２１上ではなく、その位置よりも偏った位置、より具体的には基本姿勢において上方に偏った位置に設けられていることである。
【００９３】
これにより、図２１に示すように、吸込具７０を起立姿勢にしたときに、ベンド２１の揺動支軸３１は、ハウジング２０の前後方向中心よりも後方側にずれる。このため、ベンド２１を介して操作されるハウジング２０は、支軸３１よりも前方部分の長さが、後方部分の長さよりも長くなり、ベンド２１から見るとハウジング２０の前側が重くなる。よって、ハウジング２１を被清掃面１００上に沿って前後方向（図２１で矢印７２で示す方向）に移動する際に、ハウジング２０の前側が被清掃面１００から浮き上がることを防止できる。
【００９４】
特に、ハウジング２０内に、ブラシ駆動用のモータが内蔵されており、そのモータがハウジング２０の後方側に配置されている場合において、支軸３１を後方側にずらすことにより、ハウジング２０の前方側が浮き上がることを防止できる。
【００９５】
また、ハウジング２０は、被清掃面１００上を後方に移動させる際、その後方側が被清掃面に引っ掛かることがあるが、支軸３１を後方にずらすことにより、かかる引っ掛かりの発生をなくすることができる。
【００９６】
図２３は、基本姿勢の吸込具７０の底面図である。吸込具７０のハウジング２０内には回転ブラシ７３が設けられている。回転ブラシ７３は主吸込口２７に臨んでいる。なお、先の実施形態である吸込具１０にも、回転ブラシは設けられているが、説明の都合上、回転ブラシについての説明は省略されていただけである。
【００９７】
吸込具７０に設けられた回転ブラシ７３の特徴は、幅方向に延びる回転軸７４を中心に回転ブラシ７３が回転し、回転軸７４の両端部に、くびれ部７５が設けられていることである。
【００９８】
図２４は、回転ブラシ７３のみを取り出して示した図である。回転ブラシ７３は、幅方向に延びる回転軸７４と、回転軸７４の両端部を除く領域に植立された弾力性のある複数の集塵ブレード７６と、回転軸７４の一端部に、回転軸７４と一体的に形成されたギヤ７７とを備えている。そして集塵ブレード７６の両端から延び出た回転軸７４には、くびれ部７５が形成されている。くびれ部７５を形成したことにより、主吸込口２７からハウジング２０内に吸い込まれる空気および塵挨は、回転ブラシ７３の両端部において、くびれ部７５を通って良好に吸い込まれる。つまり、回転ブラシ７３における両端部の吸い込み効率（空気移動量）が増加し、回転ブラシ７３全体としての集塵能力の向上が図れる。
【００９９】
図２５は、図２３に示す吸込具７０の回転ブラシ７３の保持構造を説明するための拡大断面図である。回転ブラシ７３の回転軸７４には、それぞれ両端に、前述したくびれ部７５が形成されている。そして、図２５において、右側のベルト装着側は、くびれ部７５の外側を形成する第１フランジ７８、および、第１フランジ７８と一定間隔をあけてさらに外側に設けられた第２フランジ７９が備えられている。そして第１フランジ７８および第２フランジ７９の周面に接近して対向するように、ハウジング２０には第１凸壁８０および第２凸壁８１が備えられている。このため、第１フランジ７８の周面と第１凸壁８０との対向面は、狭い隙間の第１シール面８２を形成しており、第２フランジ７９の周面と第２凸壁８１の先端面との狭い隙間は第２シール面８３を形成している。よって、使用に伴い、回転ブラシ７３に毛髪が巻きつき、巻きついた毛髪が軸受部８４へ進入しようとした場合、毛髪は、まず、くびれ部７５に巻きつく。この場合に、くびれ部７５は比較的大きな窪みスペースであるから、巻きついた毛髪はくびれ部７５に留まりにくく、ハウジング内へ吸い込まれる。しかし、長期間の使用によりくびれ部７５に毛髪が巻きついた場合に、一部の毛髪は第１シール面８２を通って第１フランジ７８および第２フランジ７９間の窪みに進入することがある。そしてこの窪みに進入した毛髪が窪み内を満たすような状況になったとき、さらに第２シール面８３を通って軸受部８４へと進むおそれがある。しかし、くびれ部７５および第１フランジ７８および第２フランジ７９間に形成されたくびれ部の容積が大きく、たとえ毛髪が巻きついても、これがくびれ部全体に毛髪が堆積しない限り、軸受部８４への毛髪の進入を防ぐことができる。つまり、回転ブラシ７３の軸受部８４への毛髪の進入を防止し、たとえ進入するとしても長期の使用を経なければ進入せず、吸込具７０のメンテナンスサイクルを長く保てる構成とすることができる。
【０１００】
回転ブラシ７３の反対側（ホルダー側）にも、類似の構造が採用されている。すなわち、図２５の左側において、くびれ部７５の外側を構成するフランジ８５は、その周面が外方へ曲成された円筒部８６を備えている。そして円筒部８６の外周面に僅かの間隔で対向するように、ハウジング２０には第１凸壁８７が形成され、かつ、円筒部８６の内周面に対向するように第２凸壁８８が形成されている。よって円筒部８６の外周面と第１凸壁８７の先端との隙間によって第１シール面８９が、円筒部８６の内周面と第２凸壁８８の先端とによって第２シール面９０が、形成されている。それゆえ、軸受部９１に毛髪が進入しようとしても、そのためには、毛髪はくびれ部７５に堆積し、堆積できなくなった毛髪が第１シール面８９を通過してハウジング内に溜まり、さらにそこに堆積した毛髪の溢れたものが第２シール面９０から軸受部９１へと進入する。従って毛髪が軸受部９１へ進入することを防止できるとともに、たとえ進入しようとしても、長期の使用により多くの毛髪がくびれ部７５に巻きついた後でなければ進入しないという構成を提供できる。
【０１０１】
図２６は、基本姿勢の吸込具７０の底面図であり、メンテナンスカバー９２（図２３参照）が取り外された状態の図である。
【０１０２】
図２３に示すように、吸込具７０の底面には、その右側端部を覆うメンテナンスカバー９２が備えられている。メンテナンスカバー９２は、ロックねじ９３をたとえばコイン（硬貨）で回動することにより、取り外すことができる。メンテナンスカバー９２を取り外すと、図２６に示すように、ベルト９４が露出する。この実施形態では、モータ９５の回転軸９６に取り付けられたピニオンギヤ９７と、回転軸７４に設けられたギヤ７７との間に掛け渡されたベルト９４全体が露出する開口９８が形成されている。このため、図２７、図２８および図２９に示すように、メンテナンスカバー９２を外した後、開口９８を介してベルト９４および回転ブラシ７３の一端側を下方に容易に取り出すことができ、ベルト９４から回転ブラシ７３を取り外して、回転ブラシ７３のメンテナンスを行うことができる。
【０１０３】
この実施形態のように、メンテナンスカバー９２を取り外したとき、ベルト９４全体が露出する開口９８は、従来の吸込具には備えられていない。開口９８を図２６に示すように、ベルト９４全体が露出する形状にした点が、この実施形態の特徴の１つである。
【０１０４】
図３０Ａ、Ｂ、Ｃ、Ｄは、図１に示す電気掃除機１に装着されているサブグリップ９の構造を説明するための図で、図３０Ａは右側面図、図３０Ｂは図３０Ａを下方から見た底面図、図３０Ｃは図３０Ｂの切断線Ｃ−Ｃに沿う切断面断面図、図３０Ｄは図３０Ｂの切断線Ｄ−Ｄに沿う切断面断面図である。
【０１０５】
サブグリップ９の特徴の１つは、その底面側に電気掃除機１の操作部４や吸込パイプ５（図１参照）に突設された凸部と嵌合するための嵌合凹部１１１を備えている点である。嵌合凹部１１１は、電気掃除機１の操作部４や吸込パイプ５の凸部に嵌合されたとき、当該凸部を左右両側（操作部４や吸込パイプ５の長さ方向に見て左右両側）から挟む右壁１１２および左壁１１３を有している。そして左壁１１３にはねじ挿入孔１１４が形成され、その外側にはねじ頭が収まる凹部１１５が形成されている。他方、右壁１１２には、その内側に、ねじの先端が係合する先端受部１１６が形成されている。さらに先端受部１１６に隣接して、ねじの先端が右壁１１２から外れるのを阻止するためのリブ１１７が形成されている。図３１は、サブグリップ９が操作部４に装着された状態の右側面図であり、図３２は図３１における切断線Ｘ−Ｘに沿う切断面端面図である。
【０１０６】
図３２に示すように、サブグリップ９の右側壁１１２および左側壁１１３が操作部４に突設された凸部１１８を両側から挟むように嵌合され、左壁１１３および凸部１１８を左右方向に貫通するねじ１１９によって固定される。この場合において、ねじ１１９の先端は、操作部４側に形成されたリブ１１７と係合する。このため、サブグリップ９に対して矢印１２０方向の力が加わっても、リブ１１７がねじ１１９の先端と係合しているため、右壁１１２が操作部４の周面から離れる方向に変形しない。つまり、ねじ１１９のねじ頭と反対側に位置する右壁１１２は、矢印１２０方向の力が加わった場合でも操作部４から離れず、サブグリップ９は確実に操作部４に取り付けられた状態が保たれる。言い換えれば、リブ１１７は簡易的なナットの役割を果たしているといえる。
【０１０７】
かかる構成にすることにより、サブグリップ９を、強度を保ちつつデザイン的に優れた形状にでき、また、操作性に優れたグリップ形状にできる。そしてかかるサブグリップ９を、操作部４や吸込パイプ５等の所望の位置に確実に固定することができる。
【０１０８】
図３１を参照して、操作部４に取り付けられたサブグリップ９の後方側は、吸込ホース３の先端側を覆っているホースカバー１２１と対向している。また、ホースカバー１２１の先端側には凸リング１２２が一体成形されていて、サブグリップ９には、凸リング１２２と係合するように窪み１２３が備えられている。このように、サブグリップ９の底面側が、操作部４の周面に取り付けられるのに加えて、サブグリップ９の底面側後方が、浮き上がった状態ではなく、ホースカバー１２１および凸リング１２２に当接していることによって、サブグリップ９を壊れにくい構造とすることができる。
【０１０９】
すなわち、サブグリップ９の後方側が、たとえばホース３の周面に一定間隔をあけて対向しており、ホースカバー１２１等に当接していない状態では、サブグリップ９はその後方側に矢印１２４方向の荷重がかかった時、破損する可能性がある。そこで、この実施形態のように、サブグリップ９の後方側を、ホースカバー１２１に当接する構造にすることにより、部品点数を増やすことなく、サブグリップ９の強度を向上させることができる。
【０１１０】
また、凸リング１２２に係合する窪み１２３をサブグリップ９に形成することにより、サブグリップ９が操作部４に対して前後方向にずれようとするのを防止できる。すなわち、ねじ１１９による取り付けが、窪み１２３と凸リング１２２との係合により補強されている。
【０１１１】
図３３は、電気掃除機１の操作部４や吸込パイプ５の先端側１１２の先に簡易ブラシ１３０が装着できることを説明する図である。図３３に示すように、操作部４の先端には、簡易ブラシ取付領域１３１が形成されており、この領域１３１に簡易ブラシ１３０を着脱可能に取り付けることができる。また、吸込パイプ５の先端側１２にも、図示のように簡易ブラシ１３０を着脱可能に取り付けることができる。
【０１１２】
図３４は、簡易ブラシ１３０の構成を説明するための図であり、Ａはベース１３２とブラシ部１３３とが分解された状態の側面図、Ｂはベース１３２にブラシ部１３３が嵌合されて、ベース１３２に対してブラシ部１３３が収容状態に折り畳まれた状態（実線で示す）と、使用状態に開かれた状態（破線）とを示している。Ｃは、ベース１３２単体を正面側から見た図であり、Ｄはベース１３２にブラシ部１３３が組み合わされた状態を背面側から見た図である。
【０１１３】
ここに示す簡易ブラシ１３０の特徴は、ブラシベース１３２の左右両側に、予め定める方向に特定形状をした係合突起１３４が備えられていること、および、ブラシ部１３３には、係合突起１３４の形状に対応した係合孔１３５が形成されていることである。これにより、ベース１３２とブラシ部１３３とを組み立てる際には、ベース１３２に対してブラシ部１３３の角度（方向）を、係合突起１３４と係合孔１３５との方向が一致する角度にしなければ、係合突起１３４と係合孔１３５とを嵌め合わせることができない。そして、ベース１３２とブラシ部１３３とが組み立てられた後は、ベース１３２に対してブラシ部１３３を回動させることができ、しかも、ベース１３２に対してブラシ部１３３を所定の角度位置、すなわち係合突起１３４と係合孔１３５との方向が合う角度位置にしなければ、ベース１３２からブラシ部１３３を外すことができない構造になっている。
【０１１４】
それゆえ、清掃時には、ブラシ部１３３を使用し易い方向に向けて、利用できるという利点がある。
【０１１５】
また、ベース１３２は、図３４Ｃに示すように、断面形状がＣ字形であるから、操作部４や吸込パイプ５に対して、その下方側から容易に嵌め込むことができる。
【０１１６】
従って、操作部４や吸込パイプ４の各先端に対して、装着が容易で、しかも装着後は、ブラシ部１３３の方向を所望の方向に回動させて使用し易い簡易ブラシを提供できる。
【０１１７】
この発明は、以上説明した実施形態に限定されるものではなく、請求項記載の範囲内において種々の変更が可能である。
【図面の簡単な説明】
【０１１８】
【図１】この発明の一実施形態に係る吸込具１０を有する電気掃除機１の右側面図である。
【図２】電気掃除機１の吸込パイプ５をその軸回りにひねり、吸込具１０の姿勢を切り換える場合の中間状態を示す図である。
【図３】吸込具１０が起立姿勢に切り換わった状態の電気掃除機１の部分右側面図である。
【図４】吸込具１０が基本姿勢のときの平面図である。
【図５】吸込具１０が基本姿勢のときの右側面図である。
【図６】小ローラー２９の構成を示す縦断面図である。Ａ，Ｂ，Ｃは、それぞれ、異なる実施形態を示している。
【図７】ベンドベース２２における起毛布帯４１の取付構造を説明するための図であり、Ａは取付構造の一実施形態を示す切断面端面図、Ｂは起毛布帯４１を取り外した状態の切断面端面図、Ｃは変形例に係る取付構造を示す切断面端面図である。
【図８】この発明の一実施形態に係る吸込具１０を起立姿勢にしたときの右側面図である。
【図９】吸込具１０を起立姿勢にしたときの背面図である。
【図１０】起立姿勢の吸込具１０の底面図である。
【図１１】Ａは吸込具１０が基本姿勢のときの平面図で、ＢはＡのＢ−Ｂに沿う切断面部分断面図であり、ＣはＡのＣ−Ｃに沿う切断面断面図である。
【図１２】Ａは吸込具１０が起立姿勢のときの右側面図であり、ＢはＡのＢ−Ｂに沿う切断面部分断面図であり、ＣはＡのＣ−Ｃに沿う切断面断面図である。
【図１３】Ａ，Ｂは、それぞれ、図１２Ｂ，Ｃの状態からさらにベンドベース２２が１０°ひねられて最初の状態から１００°回動した状態を示す図である。
【図１４】家具と家具との隙間に吸込具１０が挿入され、ベンド２１がひねられた状態を示す図である。
【図１５】吸込具１０の姿勢を切り換える際に、ベンドベース２２が回動せずにハウジング２０が起立した状態の右側面図である。
【図１６】吸込具１０が基本姿勢のときの平面図であり、ベンド２１の上蓋部が取り除かれ、かつ、ベンドベース２２は上部材４３が取り外されて下部材にだけにされた状態の図である。また、Ａ部分は、要部拡大図である。
【図１７】吸込具１０が基本姿勢のときの右側面図であり、支軸３１部分が透かして示された図である。
【図１８】ハウジング２０の前面２５側が被清掃面１００から浮き上がる状態を示す図である。
【図１９】吸込具１０が基本姿勢において正常に被清掃面１００に対向している状態を示す図である。
【図２０】ベンドベース２２を回動させてベッドの下等の被清掃面を清掃する場合の吸込具１０の状態を説明する図である。
【図２１】この発明の他の実施形態に係る吸込具７０の起立姿勢の右側面図である。
【図２２】吸込具７０が基本姿勢のときの右側面から見た中央縦断面図である。
【図２３】基本姿勢の吸込具７０の底面図である。
【図２４】回転ブラシ７３のみを取り出して示した図である。
【図２５】図２３に示す吸込具７０の回転ブラシ７３の保持構造を説明するための拡大断面図である。
【図２６】基本姿勢の吸込具７０の底面図であり、メンテナンスカバー９２が取り外された状態の図である。
【図２７】吸込具７０の右側面断面図であり、回転ブラシ７３を取り外す様子を表わす図である。
【図２８】吸込具７０の右側面断面図であり、回転ブラシ７３を取り外す様子を表わす図である。
【図２９】吸込具７０の右側面断面図であり、回転ブラシ７３が取り外された後の状態を示す図である。
【図３０】Ａ、Ｂ、Ｃ、Ｄは、サブグリップ９の構造を説明するための図で、Ａは右側面図、Ｂは底面図、ＣはＢの切断線Ｃ−Ｃに沿う切断面断面図、ＤはＢの切断線Ｄ−Ｄに沿う切断面断面図である。
【図３１】電気掃除機における操作部４に取り付けられたサブグリップ９の状態を表わす右側面図である。
【図３２】図３１の切断線Ｘ−Ｘに沿う切断面端面図である。
【図３３】電気掃除機１の操作部４や吸込パイプ５の先端側１１２の先に簡易ブラシ１３０が装着できることを説明する図である。
【図３４】簡易ブラシ１３０の構成を説明するための図であり、Ａはベース１３２とブラシ部１３３とが分解された状態の側面図、Ｂはベース１３２にブラシ部１３３が嵌合されて、ベース１３２に対してブラシ部１３３が収容状態に折り畳まれた状態（実線で示す）と、使用状態に開かれた状態（破線で示す）とを表わす図である。Ｃは、ベース１３２単体を正面側から見た図、Ｄはベース１３２にブラシ部１３３が組み合わされた状態を背面側から見た図である。
【符号の説明】
【０１１９】
１０、７０    吸込具
２０    ハウジング
２１    ベンド
２２    ベンドベース
２７    主吸込口
２８    シャッター
２９    小ローラー
３０    軟質部
３１    支軸
４１    起毛布帯
４２    下部材
４３    上部材
４６    副吸込口
５４    回動角度規制突起
６２    遊びの隙間
７５    くびれ部
【図１】
2008012361.tif 000003
【図２】
2008012361.tif 000004
【図３】
2008012361.tif 000005
【図４】
2008012361.tif 000006
【図５】
2008012361.tif 000007
【図６】
2008012361.tif 000008
【図７】
2008012361.tif 000009
【図８】
2008012361.tif 000010
【図９】
2008012361.tif 000011
【図１０】
2008012361.tif 000012
【図１１】
2008012361.tif 000013
【図１２】
2008012361.tif 000014
【図１３】
2008012361.tif 000015
【図１４】
2008012361.tif 000016
【図１５】
2008012361.tif 000017
【図１６】
2008012361.tif 000018
【図１７】
2008012361.tif 000019
【図１８】
2008012361.tif 000020
【図１９】
2008012361.tif 000021
【図２０】
2008012361.tif 000022
【図２１】
2008012361.tif 000023
【図２２】
2008012361.tif 000024
【図２３】
2008012361.tif 000025
【図２４】
2008012361.tif 000026
【図２５】
2008012361.tif 000027
【図２６】
2008012361.tif 000028
【図２７】
2008012361.tif 000029
【図２８】
2008012361.tif 000030
【図２９】
2008012361.tif 000031
【図３０】
2008012361.tif 000032
【図３１】
2008012361.tif 000033
【図３２】
2008012361.tif 000034
【図３３】
2008012361.tif 000035
【図３４】
2008012361.tif 000036